(57)【特許請求の範囲】
【請求項１】
遊技球を用いて遊技を行う遊技機の前面下部に設けられ、遊技球を受ける受皿と、
前記受皿の底面に設けられ、前記受皿内に貯留された遊技球を前記遊技機外へ排出する第一の球抜き穴と、
前記第一の球抜き穴を開閉自在に覆う第一の被覆部と、
遊技球を打ち出す発射装置へ前記受皿内の遊技球を案内する案内通路の入口近傍に設けられた第二の球抜き穴と、
前記第二の球抜き穴を覆う第二の被覆部と、
前記第一の被覆部と前記第二の被覆部を開閉自在に制御する制御装置を備え、
前記受皿の底面は、遊技球を打ち出す発射装置へ前記受皿にて貯留された遊技球が案内される案内通路入口の上方より螺旋状の傾斜面となるように設けられ、前記螺旋状の傾斜面と前記受皿の底面から立設された壁部を螺旋の略中心とした壁面を有し、
前記壁部は、遊技球を一時的に貯留する第一貯留部と前記案内通路入口を連通させた第二貯留部との連接部を貯留領域隔壁面とするとともに、前記壁部は、前記第一貯留部に面する第一壁面部と、前記第二貯留部に面する第二壁面部と、前記第一壁面部の前記第一貯留部に面しない側の壁面上部と前記第二壁面部の第二貯留部に面しない壁面上部とを少なくとも一部で連結させる面板部とを有し、
前記面板部は前記第一壁面部側から前記第二壁面部側へ向かって傾斜していることによって前記面板部上に移動してしまった遊技球の第一貯留部側への戻りを防止するとともに、
前記制御装置は、前記第一の被覆部と前記第二の被覆部を各々独立で開閉制御し、或いは前記第一の被覆部及び第二の被覆部を共だって開閉制御することで遊技球を排出することを特徴とする遊技機における球抜き装置。
【請求項２】
前記制御装置は、当該制御装置へ動力を伝達し前記第一の被覆部、及び前記第二の被覆部を開閉させる動力伝達機構を含むことを特徴とする請求項１に記載の遊技機における球抜き装置。
【請求項３】
前記動力伝達機構は、前記第一の被覆部及び前記第二の被覆部を連結し、前記第二の被覆部の開閉に連動して第一の被覆部を開閉させると共に、前記第一の被覆部の開閉に際しては第二の被覆部を連動しない連結部材を有することを特徴とする請求項２に記載の遊技機における球抜き装置。
【請求項４】
前記動力伝達機構に動力を供給する操作部が設けられていることを特徴とする請求項２又は３に記載の遊技機における球抜き装置。
【請求項５】
前記操作部は、遊技機に対して少なくとも一つ設けられ、前記動力伝達機構による前記第一の被覆部及び前記第二の被覆部の開閉動作を操作することを特徴とする請求項４に記載の遊技機における球抜き装置。
【請求項６】
前記操作部は、遊技機に対して少なくとも一つ設けられ、前記動力伝達機構による前記第一の被覆部及び第二の被覆部の各々の開閉動作を組み合わせてなる開閉動作パターンのうち少なくとも一つの開閉動作パターンに対応していることを特徴とする請求項４又は５に記載の遊技機における球抜き装置。
【請求項７】
前記第一の被覆部を開閉する為に前記動力伝達機構へ動力を供給する第一操作部と、
前記第二の被覆部を開閉する為に前記動力伝達機構へ動力を供給する第二操作部と、
を設けることを特徴とする請求項５又は６に記載の遊技機における球抜き装置。
【請求項８】
前記動力伝達機構は、前記第二の被覆部を開閉する第二操作部と当接する当接部と、前記第二の被覆部を制御する操作部の移動に伴い前記第二の被覆部の回動中心となる回動軸と、連結部材を取り付ける連繋部と、を有し、
前記第二の被覆部を制御する操作部の前記当接部側への移動に伴い前記第二の被覆部が回動軸を回動中心として回動し、前記第二の被覆部穴を開くと、前記連結部材が前記連繋部を摺動の基点として前記第一の被覆部側へ摺動すると共に、前記第一の被覆部は、該第一の被覆部が有する回動軸を回動の中心として回転して、前記第一の被覆部が開くことを特徴とする請求項２〜７の何れかに記載の遊技機における球抜き装置。
【請求項９】
前記第一の被覆部と直接的又は間接的に係合し、当該第一の被覆部のみを開閉自在に制御する操作部を別途有することを特徴とする請求項８に記載の遊技機における球抜き装置。
【請求項１０】
前記制御装置は、当該制御装置へ電気的駆動力を供給し、前記第一の被覆部、及び前記第二の被覆部を開閉させる駆動手段を有することを特徴とする請求項１に記載の遊技機における球抜き装置。
【請求項１１】
前記駆動手段は、ソレノイド機構であることを特徴とする請求項１０に記載の遊技機における球抜き装置。
【請求項１２】
前記駆動手段は、電動モータであることを特徴とする請求項１１に記載の遊技機における球抜き装置。
【請求項１３】
前記駆動手段に駆動力を供給する指示を送る指示部が設けられていることを特徴とする請求項１０〜１２の何れかに記載の遊技機における球抜き装置。
【請求項１４】
前記指示部は、前記遊技機に対して少なくとも一つ設けられ、前記駆動手段による前記第一の被覆部及び前記第二の被覆部の開閉動作を指示することを特徴とする請求項１３に記載の遊技機における球抜き装置。
【請求項１５】
前記指示部は、遊技機に対して少なくとも一つ設けられ、前記駆動手段による前記第一の被覆部及び第二の被覆部の各々の開閉動作を組み合わせてなる開閉動作パターンのうち少なくとも一つの開閉動作パターンに対応していることを特徴とする請求項１３又は１４に記載の遊技機における球抜き装置。
【請求項１６】
前記第一の被覆部を開閉する為に前記駆動手段へ駆動力を供給する指示を発信する第一指示部と、
前記第二の被覆部を開閉する為に前記動力伝達機構へ駆動力を供給する指示を発信する第二指示部と、を一体的に設けることを特徴とする請求項１４又は請求項１５に記載の遊技機における球抜き装置。
【請求項１７】
遊技球を用いて遊技を行う遊技機の前面下部に設けられ、遊技球を受ける受皿を有し、
当該受皿の底面には傾斜が設けられており、この傾斜は遊技球を打ち出す発射装置へ前記受皿内の遊技球を案内する案内通路入口より高位置を始点とし、該案内通路入口を終点とした螺旋状に形成されていることを特徴とする請求項１〜１６の何れかに記載の遊技機における球抜き装置。
【請求項１８】
遊技球を用いて遊技を行う遊技機の前面下部に設けられ、遊技球を受ける受皿は、遊技機に対して一皿のみ設けられ、所定数以上の遊技球を収容可能とすることを特徴とする請求項１〜１７の何れかに記載の遊技機における球抜き装置。
【請求項１９】
前記第一の球抜き穴は、前記遊技機外部へ続く第一排出通路に臨み、前記第二の球抜き穴は、前記遊技機外部へ続く第二排出通路に臨んでおり、前記第一排出通路と前記第二排出通路の終端側は一つの排出通路となることを特徴とする請求項１に記載の遊技機における球抜き装置。
【請求項２０】
前記壁部は、前記面板部上に窪部を有する湾曲状に形成されていることを特徴とする請求項１に記載の遊技機における球抜き装置。
【請求項２１】
前記第一または第二壁面部における前記受皿の底面側の端部は、該第一または第二壁面部の上端へ向かう傾斜部を有することを特徴とする請求項１に記載の遊技機における球抜き装置。
【請求項２２】
前記面板部は、前記第一壁面部側に形成された第一面板部と前記第二壁面部側に形成された第二面板部とからなり、
前記第二面板部が前記第一面板部より低くなるように段差が形成されていることを特徴とする請求項１に記載の遊技機における球抜き装置。
【請求項２３】
遊技球を用いて遊技を行う遊技機の前面下部に配設され、遊技球を受る遊技機用受皿装置であって、
前記遊技機用受皿装置の底面に設けられ、前記遊技機用受皿装置内に貯留された遊技球を前記遊技機外へ排出する第一の球抜き穴と、
前記第一の球抜き穴を開閉自在に覆う第一の被覆部と、遊技球を打ち出す発射装置へ前記遊技機用受皿装置内の遊技球を案内する案内通路の入口近傍に設けられた第二の球抜き穴と、
前記第二の球抜き穴を覆う第二の被覆部と、
前記第一の被覆部と前記第二の被覆部を各々独立で開閉制御し、或いは前記第一の被覆部及び第二の被覆部を共だって開閉制御する制御装置とを備え、
前記受皿の底面は、遊技球を打ち出す発射装置へ前記受皿にて貯留された遊技球が案内される案内通路入り口の上方より螺旋状の傾斜面となるように設けられ、前記螺旋状の傾斜面と前記受皿の底面から立設された壁部を螺旋の略中心とした壁面を有し、
前記壁部は、遊技球を一時的に貯留する第一貯留部と前記案内通路入口を連通させた第二貯留部との連接部を貯留領域隔壁面とするとともに、前記壁部は、前記第一貯留部に面する第一壁面部と、前記第二貯留部に面する第二壁面部と、前記第一壁面部の前記第一貯留部に面しない側の壁面上部と前記第二壁面部の第二貯留部に面しない壁面上部とを少なくとも一部で連結させる面板部とを有し、
前記面板部は前記第一壁面部側から前記第二壁面部側へ向かって傾斜していることを特徴とする遊技機用受皿装置。
【発明の詳細な説明】
【０００１】
【発明の属する技術分野】
本発明は遊技球を用いて遊技を行う遊技機における球抜き装置、及び遊技機用受皿装置に関する。
【０００２】
【従来の技術】
従来よりある、パチンコ機に代表される遊技機は、その前面に、遊技の進行状況に応じて払い出される賞球や、現金或いは遊技球貸し出し専用カードにより貸し出された貸し球を受けるための受皿として上皿と下皿とが設けられている。上皿は主に賞球や貸し球を貯留し、下皿は上皿が賞球や貸し球で満杯になったときその一部を貯留する。
【０００３】
しかし、このような二皿構成の遊技機では遊技球の移動に手間がかかってしまう。例えば、上皿に貯留された賞球を下皿へ排出し、下皿に貯留された賞球を通称ドル箱と呼ばれる専用容器へ移し替える動作や、下皿に貯留された賞球及び貸し球を上皿へ移し替える動作を挙げることができる。これらの動作は、遊技者にとって、煩わしい動作である。
【０００４】
そこで、特開平９−２４１３４号公報に示すように、容量を拡大した一つの受皿を設けることで、従来の下皿を廃止し、遊技球を移し替える手間を省くことを可能とする球皿（以下、本明細書中では受皿と称す）が提案されている。この受皿の底面は賞球や貸し球が払い出される球供給口を上流側とし、球発射装置（以下、本説明中では発射装置と称す）へ遊技球を案内する案内流路入口を下流側とした傾斜が設けられている。さらに、この受皿は、受皿内の遊技球を発射装置に案内する案内流路の上流に球抜き口（以下、本説明中では球抜き穴と称す）が設けられている。そのため、この球抜き穴を開放することで、受皿内に貯留されている遊技球を排出できるようになっている。
【０００５】
【発明が解決しようとする課題】
しかしながら、上記公開公報の受皿では、案内流路上流に球抜き穴が設けられていたため、球抜き穴を開放すると案内流路の入口付近に残った遊技球を排出することができず、遊技者に不利益を与えてしまうという問題点があった。
【０００６】
さらに、上記公開公報のような構成を持つ受皿では、球抜き穴を開放し、遊技球を遊技機外へ排出する際には遊技を継続して行うことができなくなってしまうという問題もあった。例えば、受皿内が賞球により満杯となってしまった場合、通称ドル箱と呼ばれる専用の容器へ賞球を移さなければならない。しかし、球抜き穴を開放している間は発射装置へ遊技球が供給されないため、発射装置及び案内通路内に残った遊技球がすべて発射されてしまうと遊技が中断されてしまうというものである。
【０００７】
また、受皿から発射装置側へ幾つもの球が一度に流れるようになっていると、発射装置へ繋がる案内通路に球が詰まってしまうことがある。
【０００８】
そして、この時、短時間内に多くの遊技球を発射すれば遊技者にとって有利になるような遊技状態であった場合は、球詰まりにより遊技者に不利益を与えてしまうという問題があった。
【０００９】
さらに、球詰まりが起こると、遊技球が詰まった部分から所定範囲の遊技球は排出されずに案内通路内や受皿内に残ってしまうことがあるため、遊技者が遊技を打ちきったとき、又は終了させたときに残ってしまった遊技球が遊技者に返還されず、遊技者に不利益を与えてしまうという問題があった。
【００１０】
また、球詰まりが起こっていない通常の状態では、当然、案内通路内に遊技球が流入している。そのため、遊技球を迅速に終了させたいときでも、案内通路内に存する遊技球が発射装置に供給され、発射されるまでは遊技を終了することができなかった。
【００１１】
さらに、上記公開公報に記載された受皿では、遊技者が遊技に集中してしまい受皿が遊技球で満杯となってしまった場合、一度に大量の遊技球を遊技機外へ排出しにくく、球詰まりが起きやすかった。
【００１２】
本発明は上述した従来の問題点に鑑みてなされたもので、解決しようとする課題は、遊技機内に貯留された遊技球を残すことなく排出できる遊技機における球抜き装置、及び遊技機用受皿装置を提供することにある。
【００１３】
また、本発明は、遊技機に貯留された遊技球を容易な操作で、且つ迅速に排出することを可能とする球抜き装置、及び遊技機用受皿装置を提供することを課題とする。
【００１４】
さらに、本発明の課題は、受皿内に貯留された遊技球の球詰まりを防ぎ発射装置側へ流通させ、当該受皿内に遊技球を残すことなく遊技球を排出することができる遊技機における球抜き装置、及び遊技機用受皿装置を提供することにある。
【００１５】
また、本発明は、一度に大量の遊技球を確実に排出することが出来る遊技機における球抜き装置、及び遊技機用受皿装置を提供することを課題とする。
【００１６】
さらに、本発明の課題は、遊技球を遊技機外部へ排出しながらにして遊技を継続的に行うことを可能とする遊技機における球抜き装置、及び遊技機用受皿装置を提供することにある。
【００１７】
【課題を解決するための手段】
本発明の遊技機における球抜き装置は、前記課題を解決するために以下の手段を採用した。すなわち本発明の遊技機における球抜き装置は、遊技球を用いて遊技を行う遊技機の前面下部に設けられ、遊技球を受ける受皿と、受皿の底面に設けられ、受皿内に貯留された遊技球を遊技機外へ排出する第一の球抜き穴と、第一の球抜き穴を開閉自在に覆う第一の被覆部と、遊技球を打ち出す発射装置へ受皿内の遊技球を案内する案内通路の入口近傍に設けられた第二の球抜き穴と、第二の球抜き穴を覆う第二の被覆部と、第一の被覆部と第二の被覆部を開閉自在に制御する制御装置を備え、前記受皿の底面は、遊技球を打ち出す発射装置へ前記受皿にて貯留された遊技球が案内される案内通路入り口の上方より螺旋状の傾斜面となるように設けられ、前記螺旋状の傾斜面と前記受皿の底面から立設された壁部を螺旋の略中心とした壁面を有し、前記壁部は、遊技球を一時的に貯留する第一貯留部と前記案内通路入口を連通させた第二貯留部との連接部を貯留領域隔壁面とするとともに、前記壁部は、前記第一貯留部に面する第一壁面部と、前記第二貯留部に面する第二壁面部と、前記第一壁面部の前記第一貯留部に面しない側の壁面上部と前記第二壁面部の第二貯留部に面しない壁面上部とを少なくとも一部で連結させる面板部とを有し、前記面板部は前記第一壁面部側から前記第二壁面部側へ向かって傾斜していることによって前記面板部上に移動してしまった遊技球の第一貯留部側への戻りを防止するとともに、前記制御装置は、第一の被覆部と第二の被覆部を各々独立で開閉制御し、或いは第一の被覆部及び第二の被覆部を共だって開閉制御することを特徴とする。
【００１８】
このように、面板部が第一壁面部側から第二壁面部へ向かって傾斜していることにより、貯留される遊技球が何らかの原因により面板部上に移動してしまっても、第一貯留部側へ遊技球が戻ることを防止することができる為、球詰まりを防止して、受皿内に貯留された遊技球を迅速に残すことなく打出処理、又は払出処理ができるようになるとともに、第一の被覆部と第二の被覆部とを単独で開閉させたり、同時に開閉させたりすることができるため、遊技者は遊技の継続状況や受皿内に貯留された遊技球の量に応じて遊技球を排出することができる。
【００１９】
また、第一の被覆部と第二の被覆部とを同時に開放することが出来るため、球詰まりを極力解消することができる。
【００２０】
また、本発明における制御装置は、制御装置へ動力を伝達し第一の被覆部、及び第二の被覆部を開閉させる動力伝達機構を備えている。この動力伝達機構は、第一の被覆部及び第二の被覆部を連結し、第二の被覆部の開閉に連動して第一の被覆部を開閉させると共に、第一の被覆部の開閉に際しては第二の被覆部を連動しない連結部材を有する。尚、本発明における動力伝達機構として、リンク機構を好適に用いることが出来る。
【００２１】
さらに、本発明の遊技機における球抜き装置には、動力伝達機構に動力を供給する操作部が設けられている。尚、この操作部には、ボタン式の操作部やレバー式の操作部等を用いることができる。
【００２２】
また、この操作部は遊技機に対して少なくとも一つ設けられ、動力伝達機構による第一の被覆部及び第二の被覆部の開閉動作を操作する。即ち、本発明における操作部は、遊技機に対して少なくとも一つ設けられ、動力伝達機構による第一の被覆部及び第二の被覆部の各々の開閉動作を組み合わせてなる開閉動作パターンのうち少なくとも一つの開閉動作パターンに対応している。
【００２３】
具体的には、第一の被覆部を開閉する為に動力伝達機構へ動力を供給する第一操作部と、第二の被覆部を開閉する為に動力伝達機構へ動力を供給する第二操作部とを一体的に設ける構成とすることができる。
【００２４】
このように、一つの操作部の操作に複数の開閉動作パターンを持たせることにより、遊技球を排出する際の操作性と利便性が向上する。
【００２５】
また、本発明における動力伝達機構は、第二の被覆部を開閉する第二操作部と当接する当接部と、第二の被覆部を制御する操作部の移動に伴い第二の被覆部の回動中心となる回動軸と、連結部材を取り付ける連繋部とを有し、第二の被覆部を制御する操作部の当接部側への移動に伴い第二の被覆部が回動軸を回動中心として回動し、第二の被覆部穴を開くと、連結部材が前記連繋部を摺動の基点として第一の被覆部側へ摺動すると共に、第一の被覆部は、その第一の被覆部が有する回動軸を回動の中心として回転して、第一の球抜き穴を開放する。尚、本発明における第一の球抜き穴は受皿の底面に設けられている。
【００２６】
また、本発明の遊技機における球抜き装置は、第一の被覆部と直接的または間接的に係合し、第一の被覆部のみを開閉自在に制御する操作部を別途有する構成とすると好ましい。
【００２７】
さらに、本発明における制御装置は、制御装置へ電気的駆動力を供給し、第一の被覆部、及び第二の被覆部を開閉させる駆動手段を有する構成とすることもできる。この駆動手段としては、ソレノイド機構や電動モータを好適に用いることができる。
【００２８】
また、本発明の遊技機における球抜き装置には、駆動手段に駆動力を供給する指示を送る指示部が設けられている。この指示部は、ボタン式、レバー式、タッチセンサ式等何れの方式であってもよい。
【００２９】
さらに、本発明における指示部も上述した操作部と同様に、遊技機に対して少なくとも一つ設けられ、駆動手段による第一の被覆部及び第二の被覆部の開閉動作を指示することを特徴とする。即ち、本発明における指示部は、遊技機に対して少なくとも一つ設けられ、駆動手段による第一の被覆部及び第二の被覆部の各々の開閉動作を組み合わせてなる開閉動作パターンのうち少なくとも一つの開閉動作パターンに対応している。尚、具体的に説明すると、本発明の遊技機における球抜き装置は、第一の被覆部を開閉する為に前記駆動手段へ駆動力を供給する指示を発信する第一指示部と、第二の被覆部を開閉する為に動力伝達機構へ駆動力を供給する指示を発信する第二指示部とを一体的に設けた構成を成す。
【００３０】
このように、一つの操作部の操作に複数の開閉動作パターンを持たせることにより、遊技球を排出する際の操作性と利便性が向上する。
【００３１】
また、本発明の遊技機における球抜き装置が設けられた受皿は、遊技機の前面下部に設けられ、遊技球を受ける受皿の底面には傾斜が設けられている。この傾斜は遊技球を打ち出す発射装置へ前記受皿内の遊技球を案内する案内通路入口より高位置を始点とし、案内通路入口を終点とした螺旋状に形成されていることを特徴とする。
【００３２】
このように、受皿の底面が螺旋状に形成されていることにより、受皿内部の専有面積が広くなる為、その分遊技球を大量に収容することができる。尚、このような構成を有する受皿は、特に、遊技機に対して一皿のみ設けられ、所定数以上の遊技球を収容可能とする受皿に好適に用いることができる。これは、従来の遊技機に設けられていた、上皿と下皿とを集約させ、一皿で二皿分の機能を果たせる構成を有する一体型の受皿のことである。そして、本明細書中における所定数の遊技球とは、従来の上皿と下皿との収容遊技球数を合わせた数とする。
【００３３】
また、本発明における第一の球抜き穴は、遊技機外部へ続く第一排出通路に臨み、第二の球抜き穴は、遊技機外部へ続く第二排出通路に臨んでおり、第一排出通路と第二排出通路の終端側は一つの排出通路となる。この最終的な排出通路は遊技球専用の収容器へ遊技球を排出する通路のことである。
【００３４】
つまり、二つの球抜き穴がそれぞれ異なる場所から抜き出した遊技球は、最終的には合流し、一つの排出通路を通過して遊技機外へ排出される。
【００３５】
そして、排出通路が一つだけであることにより、遊技者は遊技球を排出するた度に遊技球専用の収容器の位置をずらすことなく遊技球を収容器へ排出することができる。
【００３６】
さらに、本発明の遊技機における球抜き装置は、遊技球を用いて遊技を行う遊技機の前面下部に設けられ、遊技球を受ける受皿を有し、受皿の底面は、遊技球を打ち出す発射装置へ前記受皿にて貯留された遊技球が案内される案内通路入り口の上方より螺旋状の傾斜面となるように設けられ、螺旋状の傾斜面と受皿の底面から立設された壁部を螺旋の略中心とした壁面により遊技球を螺旋状に流動させ前記案内通路入口方向に案内させることを特徴とする。
【００３７】
まず、受皿の底面に傾斜が設けられていることにより、受皿内に貯留された遊技球は、確実に傾斜の上流から下流へと移動することができる。即ち、傾斜の上流にあたる貯留部に貯留された遊技球は、傾斜の下流にあたる貯留部方向へスムーズに移動することができる。そのため、受皿内に貯留された遊技球を残すことなく効率的に流通させることができる為、遊技球の打出処理を中断することなく係属ができ、さらに遊技球の排出時に全ての遊技球を残すことなく排出することができる。
【００３８】
また、受皿の底面が螺旋状に形成されていることにより、遊技球が渦巻き状に流動し、遊技球に係る荷重を分散させることができる為、球詰まりを防止することもできる。
【００３９】
また、本発明における受皿内に設けられた壁部は、遊技球を一時的に貯留する第一貯留部と前記案内通路入口を連通させた第二貯留部との連接部を貯留領域隔壁面とすることを特徴とする。
【００４０】
このように、壁面によって第一貯留部と第二貯留部との領域を隔離していることにより、第一貯留部に貯留された遊技球が第二貯留部の領域側へ直接は入り込むことを抑制するので、案内通路の入口付近における遊技球の流れを妨げることを回避することができる為、球詰まりを防ぐことができる。
【００４１】
また、これに伴い、従来懸念されていた遊技球中における遊技球発射の中断、遊技者への不利益を軽減することも可能となる。
【００４２】
さらに、第二貯留部に貯留された遊技球が第一貯留部に逆流することも防止できる為、受皿内に貯留された遊技球を迅速に残すことなく打ち出し処理、又は排出処理を行うことができる。
【００４３】
また、本発明における壁部は、第一貯留部に面する第一壁面部と、第二貯留部に面する第二壁面部と、第一壁面部の前記第一貯留部に面しない側の壁面上部と第二壁面部の第二貯留部に面しない壁面上部とを少なくとも一部で連結させる面板部とからなり、この面板部は、第一壁面部側から第二壁面部側へ向かって傾斜していることを特徴とする。
【００４４】
このように、面板部が第一壁面部側から第二壁面部へ向かって傾斜していることにより、貯留される遊技球が何らかの原因により面板部上に移動してしまっても、第一貯留部側へ遊技球が戻ることを防止することができる為、受皿内に貯留された遊技球を迅速に残すことなく打出処理、又は払出処理ができるようになる。
【００４５】
さらに、本発明における壁部は、面板部上に窪部を有する湾曲状に形成されている。
【００４６】
このように、面板部上に窪部があることにより、面板部上に移動してきた遊技球を広範囲にわたって一時的に包容し、第二壁面部側へ向かう傾斜により第一貯留部側へ遊技球が戻ることを防止することができる為、受皿内に貯留された遊技球を迅速に残すことなく排出することができるようになる。
【００４７】
さらに、このような構成により、遊技球を一旦保持しつつ緩やかに第二貯留部側へ遊技球を誘導することができる為、その窪部の形状により案内通路入口付近における遊技球の整列を直接的に乱す虞を回避するよう意図的に第二貯留部の所定領域へ案内し、球詰まりを防ぐことが可能となる。
【００４８】
また、本発明の第一または第二壁面部における受皿の底面側の端部は、その第一または第二壁面部の上端へ向かう傾斜部を有することを特徴とする。
【００４９】
すなわち、第一貯留部の底面と第一壁面部の端部、又は第二貯留部の底面と
第二壁面部の底面側の端部とが、傾斜部によって連結されているということである。
また、本発明の面板部は、前記第一壁面部側に形成された第一面板部と前記第二壁面部側に形成された第二面板部とからなり、前記第二面板部が前記第一面板部より低くなるように段差が形成されていることを特徴とする。
【００５０】
このような構成により、遊技球を螺旋状の傾斜底面と壁面により渦巻状に流動させるときにおいて、傾斜底面とその傾斜底面部から立設された壁面の両面に接触する遊技球の流動を分散させ、係る荷重を軽減させることにより円滑な流動へと導くことができるようになる。
【００５１】
さらに、受皿にて貯留される遊技球を案内通路入口方向へ向かうに従って一列に整列させるように流動させる場合に、傾斜底面部による傾斜度合いを徐々に大きくしたり、又は徐々に小さくしたり、適宜に変化させることにより球詰まりが生じにくい意図的な整列を可能とする螺旋状の流通路とすることができるようになる。
【００５２】
また、本発明は、遊技球を用いて遊技を行う遊技機の前面下部に配設され、遊技球を受る遊技機用受皿装置でもある。この遊技機用受皿装置は、その底面に設けられ、前記遊技機用受皿装置内に貯留された遊技球を前記遊技機外へ排出する第一の球抜き穴と、前記第一の球抜き穴を開閉自在に覆う第一の被覆部と、遊技球を打ち出す発射装置へ前記遊技機用受皿装置内の遊技球を案内する案内通路の入口近傍に設けられた第二の球抜き穴と、前記第二の球抜き穴を覆う第二の被覆部と、前記第一の被覆部と前記第二の被覆部を各々独立で開閉制御し、或いは前記第一の被覆部及び第二の被覆部を共だって開閉制御する制御装置とを備え、
前記受皿の底面は、遊技球を打ち出す発射装置へ前記受皿にて貯留された遊技球が案内される案内通路入り口の上方より螺旋状の傾斜面となるように設けられ、前記螺旋状の傾斜面と前記受皿の底面から立設された壁部を螺旋の略中心とした壁面を有し、
前記壁部は、遊技球を一時的に貯留する第一貯留部と前記案内通路入口を連通させた第二貯留部との連接部を貯留領域隔壁面とするとともに、前記壁部は、前記第一貯留部に面する第一壁面部と、前記第二貯留部に面する第二壁面部と、前記第一壁面部の前記第一貯留部に面しない側の壁面上部と前記第二壁面部の第二貯留部に面しない壁面上部とを少なくとも一部で連結させる面板部とを有し、
前記面板部は前記第一壁面部側から前記第二壁面部側へ向かって傾斜していることを特徴とする。
【００５３】
【発明の実施の形態】
以下、本発明に係る球抜き装置の具体的な実施形態を図面に基づいて説明する。尚、本実施形態では、遊技機を遊技用媒体に遊技球を用いるぱちんこ遊技機として説明を行う。
【００５４】
＜第一の実施の形態＞
図１に示すように本発明における遊技機１は、縦長な方形状の枠組みにて構成され遊技機１の設置場所に強固に固定される外枠３と、その外枠３に一側を保持され、且つその外枠３に対して開閉自在に設けられた表枠４と、その表枠４の前面上部に開閉自在に設けられた窓枠５とを備え、その表枠４には遊技機１を構成する主要構成部品のほぼ全てが集約されて設けられている。
【００５５】
表枠４に設けられる主要構成部品としては、盤面が遊技領域とされる遊技盤６と、この遊技盤６、及びこの遊技盤６の裏面側に設けられ遊技盤６の遊技領域に遊技球を打ち出す発射装置７と、発射装置７を操作するための操作ハンドル８と、遊技機１に供給すべき遊技球、及び遊技球が入賞口１５に入り入賞した際に遊技機１から払い出される賞球を貯留する受皿２と、必要に応じて所定個数の遊技球を排出する遊技球払出ユニット（図示せず）と、各種装置の制御を行う制御基板（図示せず）とが挙げられる。
【００５６】
さらに詳細に説明すると、遊技機１には、表枠４に対して開閉自在な窓枠５が設けられている。この窓枠５は、遊技盤６の遊技領域全体をその枠内にほぼ覗き見ることができる透視窓９を備えている。
【００５７】
また、この透視窓９の外周に沿って装飾ＬＥＤ１０、装飾ランプ１１、スピーカー１２等が設けられている。この装飾ＬＥＤ１０や装飾ランプ１１は、遊技の進行状況に応じて点滅する。尚、スピーカー１２は、遊技の進行状況に応じて各種効果音を発する。
【００５８】
また、遊技盤６は前記表枠４に一体的に形成される遊技盤６の収納枠（図示せず）に収納固定されるべくほぼ正方形状の合板により形成されている。その前面には、ほぼ円形状に植立され、発射装置７により打ち出された遊技球の行き先を誘導する誘導レール１３と、誘導レール１３によって囲まれた遊技領域に設けられた釘や風車などの障害物１４と、賞球を払い出させるための媒体となる遊技球を受け入れる入賞口１５とが複数設けられている。
【００５９】
さらにまた、遊技盤６の中央には種々の図柄及び情報を遊技の進行状況に合わせて表示する画像表示装置１７が設けられ、この画像表示装置１７の直下に画像表示装置１７の表示内容を可変せしめる為のトリガーとなる遊技球を受け入れる始動入賞口（始動口）１８が設けられている。これらの入賞口１５或いは始動入賞口１８に遊技球が入ると所定数の遊技球が賞球として払い出される。
【００６０】
さらに、遊技機１の最下方には何れの入賞口１５にも入賞しない遊技球が取り込まれるアウト口１６が設けられている。
【００６１】
また、上述した部品や装置が設けられた遊技盤６の下方には、遊技球を貯留する受皿２が設けられている。この受皿２は、遊技機１に対して一皿のみ設けられ、所定数以上の遊技球を収容可能とする。尚、所定数以上の遊技球とは、従来の遊技機に設けられていた上皿、下皿が通常収容可能とする遊技球数のことをいう。以下、この受皿２について詳細な説明を行う。
【００６２】
図１に示すように、本発明における受皿２は、内部に遊技球を貯留する第一貯留部５０と第二貯留部１９とを有し、遊技機１前面から前方に突出して設けられている。
【００６３】
この受皿２の底面は、図２に示すように、遊技球を打ち出す図１に示す発射装置７へ受皿２内の遊技球を案内する案内通路入口２１より高い位置に設けられ、遊技球を一時的に貯留する第一貯留部５０から、その第一貯留部５０に連続した第二貯留部１９を介し案内通路入口２１まで螺旋状の下り傾斜が設けられている。
【００６４】
また、図１に示すように、この下り傾斜の上流側、即ち第一貯留部５０側には、現金や専用プリペードカード等により貸し出される貸し球を供給する貸球払出口２６が設けられている。すなわち、この傾斜は、遊技球が整列しながら貸球払出口２６から、第二貯留部１９を介して受皿２内部に設けられた発射装置７へ遊技球を案内する案内通路入口２１へと流下するように形成されている。尚、本発明においては、第一貯留部５０の領域へ遊技機外部からノズルなどを介して複数の遊技球が送り込まれる遊技球外部送り装置を用いたものでもよい。
【００６５】
さらに、この螺旋状の傾斜は受皿２底面から立設された壁部５１を螺旋の中心とし、その壁部５１に沿って螺旋を形成している。この螺旋状の底面により、遊技球の位置を離散させ、該遊技球に係る荷重を分散させることができる為、球詰まりを防止することが可能となる。
【００６６】
そして、図２、及び図３に示すように、壁部５１は第一貯留部５０と第二貯留部１９とを隔離している。この壁部５１は、図３に示すように、第一貯留部５０に面する第一壁面部５２と、第二貯留部１９に面する第二壁面部５３と、第一壁面部５２と第二壁面部５３との上端部を連続させる面板部５４ａ、５４ｂとから構成されている。
【００６７】
また、本実施形態において第一貯留部５０と第二貯留部１９の連通部Ｅに段差面を第二壁面部５３の一部から成り立つように設けてあり、第一貯留部５０の連通部Ｅの底面部分より第二貯留部１９の連通部Ｅの底面部分を低くし、第二貯留部１９に貯留されることとなる遊技球が第一貯留部５０へ逆流しないようにしている。尚、本発明における第一貯留部５０と第二貯留部１９の位置関係は左右反対であっても良いこととする。
【００６８】
また、図４、及び図５に示すように、この面板部５４ａは、第一壁面部５２側から第二壁面部５３側へ向かって傾斜し、且つ面板部５４の中央が窪むように湾曲状に形成されている。
【００６９】
また、面板部５４ｂは面板部５４ａよりも低い位置となるように段差部Ｄが設けられている。
【００７０】
さらに、面板部５４ｂは、遊技球が第二貯留部１９において連通されている案内通路入口２１側、即ち案内通路入口付近２０ａに直接的に一度に多くの遊技球が流入しないような傾斜面形状である。そのため、主に第二貯留部１９の領域内において遊技機の前面方向側に向かって低くなるように形成されており遊技球の流れの阻害回避可能な傾斜形状としている。
【００７１】
尚、本実施形態においては、第一貯留部５０の下流側５０ｃ部周辺の第一壁面部５２ａの高さを遊技球一個の大きさ程度の高さにし、傾斜面形状における遊技球の流れの阻害回避の方向に下流側５０ｃ部周辺も含まれるような傾斜面として低くなるようにしている。
【００７２】
このように、壁部５１が第一貯留部５０と第二貯留部１９とを隔離していることにより、第一貯留部５０に貯留された遊技球が案内通路入口付近２０ａへ直接的に入ってしまうことを防ぐことができる。それに伴い、図１に示す案内通路入口付近２０ａにおける遊技球の流れを妨げることを回避することができる為、遊技球の整列、及び球詰まりを防ぐことができる。
【００７３】
さらに、面板部５４ａ、５４ｂが第一壁面部５２側から第二壁面部５３側への下り方向で、且つ遊技機１の前面方向へ向かって傾斜していること、及び面板部５４ａの中央に窪部５５があることにより、第一貯留部５０に貯留された遊技球が何らかの原因により面板部５４ａ、５４ｂ上に移動してしまっても、この窪部５５が遊技球を一旦保持しつつ、その後面板部５４ｂの傾斜により緩やかに第二貯留部１９側で、且つ遊技機１の前面方向へ誘導することができる。よって、遊技球が案内通路入口付近２０ａの整列を直接乱す虞を回避することができる為、遊技球の整列を乱すこと、及び球詰まりを防ぐことが可能となる。
【００７４】
また、図３〜図５に示すように、第一壁面部５２における受皿２の底面５０ａ側の端部５０ｂは、傾斜部５６ａによって第一貯留部５０の底面５０ａと連結されている。
【００７５】
これによって、第一貯留部５０内に貯留された遊技球は、傾斜部５６ａによっても螺旋状に円滑に誘導され第二貯留部１９へスムーズに流下するように案内される。そのため、遊技球を第一貯留部５０内に残すことなく迅速に流動させ球詰まりを防ぐことができる。
【００７６】
また、第二壁面部５３における受皿２の底面５３ａ側の端部５３ｂは、傾斜部５６ｂによって第二貯留部１９の底面５３ａと連結されている。
【００７７】
これによって、第二貯留部１９内に貯留された遊技機は、発射装置７側へ案内する案内通路入口２１へ向かうにつれて徐々に大きくなるように設けられた傾斜部５６ｂによって螺旋状に円滑に誘導されやすくなり、貯留された複数の遊技球による乱雑状態からスムーズに一列となって流下するよう整列されることとなり、遊技球打ち出し処理の効率が高くなる為、遊技実行中に発射装置７に対し遊技球が滞りなく案内されるようになる。
【００７８】
さらに、遊技球を貯留させる受皿の容量を増やせる大きな受皿としても迅速に残すことなく打ち出し処理、又は排出処理ができるようになる。
【００７９】
また、図１に示すように第二貯留部１９の底面は、発射装置７へ遊技球を案内する案内通路２０の案内通路入口２１（図１中左側）へ向かう緩やかな傾斜が設けられている。この傾斜の上流には、入賞時に払い出される賞球を払い出す賞球払出口２２が設けられている。尚、賞球払出口２２は、貸球払出口２６と共用の払出口としてもよいこととする。
【００８０】
さらに、この傾斜の途中には、貯留された遊技球を排出する第一の球抜き穴２３が設けられている。この第一の球抜き穴２３は、通常第一の被覆部２４により覆われている。
【００８１】
加えて、図８に示すように、第一の球抜き穴２３の下方には、遊技機１外部と繋がっている第一の排出通路２５が設けられている。第一の球抜き穴２３から排出された遊技球は、この第一の排出通路２５を通過して遊技機１外部へ排出される。
【００８２】
また、案内通路入口２１の付近には、第二の球抜き穴２７が設けられている。この第二の球抜き穴２７も前記第一の球抜き穴２３と同様、第二の被覆部２８により覆われている。
【００８３】
さらに、図８に示すように、第二の球抜き穴２７の下方には、第二の球抜き穴２７により球抜きされた遊技球を遊技機１外部へと排出する第二の排出通路２９が設けられている。この第二の排出通路２９は、前記第一の排出通路２５と合流し一つの排出通路となる。すなわち、第一の排出通路２５から排出された遊技球と、第二の排出通路２９から排出された遊技球は、遊技機１外部に排出されるとき一箇所から排出されることとなる。
【００８４】
次に、上述した受皿２の構造を踏まえ、図面に基づき受皿２内に貯留された遊技球を遊技機１外に排出するための球抜き構造と手順について説明する。
【００８５】
まず初めに、本発明の球抜き装置の構造についての説明を行う。図２に示すように、受皿２の第二貯留部１９に貯留された遊技球を遊技機１外部へ排出する為には、第一の被覆部２４或いは第二の被覆部２８とを開閉させなくてはならない。
【００８６】
そのため、本発明の球抜き装置は、図１、図２、図６、図８、図１０、図１１、図１３、図１４に示すように、第一の被覆部２４と係合し、第一の球抜き穴２３を単独的に開閉自在に制御する図７に示す操作部（以下、第一の操作部という）３１と、第二の被覆部２８と係合し第二の球抜き穴２７を開閉自在に制御する図７に示す操作部（以下、第二の操作部という）３２と、第一の被覆部２４及び第二の被覆部２８を連結する連結部材３３とを有している。尚、図７に示すように本実施の形態における第一の操作部３１は、遊技機１に向かって右側に設けられ、第二の操作部３２は遊技機１に向かって左側に設けられているとする。
【００８７】
さらに詳細には、図６、図１０、図１３に示すように、前記第一の被覆部２４は、第一の球抜き穴２３より大きめに形成された円形の第一の面板部３４と、この第一の面板部３４と同一平面上に連続して形成された取付部３５とにより全体が構成されている。尚、図２、図６、図８、図１５、図１６は、第一の球抜き穴２３及び第二の球抜き穴２７双方が第一の被覆部２４及び第二の被覆部２８により覆われている状態（図８、図１６は断面図）を示し、図９、図１０、図１１、図１７、図１８は、第一の操作部３１を操作し第一の球抜き穴２３のみを開放した状態（図１１、図１８は断面図）を示し、図１２、図１３、図１４、図１９、図２０は、第二の操作部３２を操作し第一の球抜き穴２３及び第二の球抜き穴２７双方を開放した状態（図１４、図２０は断面図）を示す。
【００８８】
また、取付部３５には、第一の被覆部２４が回動する為の回動軸３６と、第二の被覆部２８と第一の被覆部２４を連結する連結部材３３の一端が当接する当接部（以下、第一の当接部という）４８が設けられている。この第一の当接部４８は、連結部材３３が当接する側の取付部３５の側壁をくの字形に窪ませて形成されている。加えて、この第一の当接部４８には、少なくとも一つ第一の係合凸部３７が設けられている。この第一の係合凸部３７には、バネ等の弾性部材３８ａを連結し、第一の被覆部２４が前記第一の球抜き穴２３を覆う方向に付勢している。
【００８９】
さらに、第二の被覆部２８は、第二の球抜き穴２７を覆う矩形状の第二の面板部３９と、この第二の面板部３９と同一平面上に連続して設けられたベース部４０とにより構成されている。このベース部４０には、第二の操作部３２の一部と当接する当接部（以下、第二の当接部という）４１と、第二の操作部３２の操作により第二の被覆部２８が回転するときの回転軸４２と、連結部材３３を取り付ける連繋部４９と、が設けられている。
【００９０】
そして、上述した第二の被覆部２８は、遊技機１の受皿２の前側面に設けられた図１及び図７に示す第二の操作部３２により自在に開閉することができる。
【００９１】
さらにまた、第一の被覆部２４と第二の被覆部２８とを連結する連結部材３３は、細長いプレート状の部材であり、一端が第二の被覆部２８に設けられた連繋部４９に回動自在な状態にて取り付けられている。一方、他端は第一の被覆部２４の第一の当接部４８に設けられた前記第一の係合凸部３７と当接している。
【００９２】
次に、上述した構成を有する球抜き装置の動作説明を図面に基づいて行う。図２、図６、図８は、図７に示す第一の操作部３１及び第二の操作部３２の何れも操作しない場合の状態図を示す。この状態は、図面からもわかるように、第一の球抜き穴２３及び第二の球抜き穴２７が第一の被覆部２４及び第二の被覆部２８により覆われた状態である。
【００９３】
この状態のとき、受皿２内の第一貯留部５０には貸球払出口２６から払い出された貸し球が貯留され、第二貯留部１９には、賞球払出口２２から払い出された賞球が貯留される。
【００９４】
そして、賞球払出口２２から払い出された賞球は、第二貯留部１９の傾斜面に沿って移動し、一球ずつ整列して案内通路入口２１へ入り発射装置７へ供給される。
【００９５】
また、貸球払出口２６から払い出された貸し球は、第一貯留部５０に一時的に貯留され、螺旋を描いた下り傾斜の底面に沿って移動し、第二貯留部１９へ流下し、賞球同様一球ずつ整列して案内通路入口２１へ入り発射装置７へ供給される（図１５、図１６参照）。
【００９６】
次に、図７、及び図１０に示す第一の操作部３１のみを操作した場合の説明を行う。まず、第一の操作部３１を遊技機１側に向かって（図１０中Ｍ方向）に押圧する。すると、図１０に示すように第一の操作部３１は第一の係合凸部３７と当接する。さらに第一の操作部３１を押圧すると第一の被覆部２４は、回動軸３６を中心として弾性部材３８ａの付勢方向とは反対方向（図１０中Ｎ方向）へと回動する。すると、第一の球抜き穴２３は開放された状態となる。
【００９７】
図１７に示すように、この状態では、仮に貸球払出口２６から貸し球を排出すれば、受皿２内部に形成された螺旋を描くような下り傾斜の底面に沿って移動し、一球ずつ整列するように流動して案内通路入口２１へ入り発射装置７へ供給される。尚、本明細書中では、考えられる遊技動作の中から貸し球を払出ながら球抜きを行う状況を想定して説明を行うこととする。
【００９８】
また、本実施形態では、敢えて貸球を払出ながら球抜きを行う状況を想定して説明を行うこととするが、受皿２内部に遊技球が所定量貯留された場合、又は第一貯留部５０に遊技機外部からノズルなどを介して複数の遊技球が送り込まれる遊技球外部送り装置にて払い出された場合、又は通称ドル箱と呼ばれる専用容器などから遊技者により第一貯留部５０に遊技球を貯留された場合も以下説明と同様に遊技球は流下する。
【００９９】
また、賞球払出口２２から払い出された賞球は、第二貯留部１９の底面がなす緩傾斜に沿って移動する。前述したようにその緩傾斜途中には第一の球抜き穴２３が設けられている。そして、ここではこの第一の球抜き穴２３は開放された状態であるため、緩傾斜に沿って移動してきた大半の賞球はこの第一の球抜き穴２３落下する。このとき、貸球払出口２６から貸し球が払い出された場合、貸し球は第一の球抜き穴２３に入ることなく螺旋状の緩傾斜に沿って案内通路入口２１に向かってスムースに流下する。
【０１００】
第一の球抜き穴２３を通過した遊技球は、遊技機１外部へと直接繋がっている第一排出通路２５を通過し、遊技機１外部へと排出される。排出された遊技機１は、通称ドル箱と呼ばれる遊技球専用の収容器へ収容される。
【０１０１】
一方、第二の球抜き穴２７は第二の被覆部２８により覆われている為、遊技球は発射装置７へと供給され続ける。さらに、賞球払出口２２から払い出された賞球の大半は第二貯留部１９の緩傾斜により第一の球抜き穴２３へ入落下する。尚、ここでも前述したように通常の遊技中では、貸し球の排出と遊技球の排出を同時に行われたことを想定して説明を行う。貸球払出口２６から払い出された貸し球は、螺旋状の受皿２の底面により案内通路入口２１へと誘導される。
【０１０２】
すなわち、第二貯留部１９に貯留された遊技球を排出しながらでも、弾球を打ち出すことができる為、遊技を継続することができる。
【０１０３】
次に、図１３に示すように、図７に示す第二の操作部３２のみを操作した場合の説明を行う。まず、第二の操作部３２を遊技機１側に向かって（図１３中Ｐ方向）に押圧する。すると、第二の操作部３２は第二の当接部４１と当接する。さらに第二の操作部３２を押圧すると第二の被覆部２８は、回転軸４２を回転中心として図１３中Ｑ方向へと回動する。これにより、第二の被覆部２８は第二の球抜き穴２７を開放する。
【０１０４】
さらに、上述した第二の操作部３２の操作に伴って、第二の被覆部２８と連結した連結部材３３が移動する。すなわち第二の操作部３２の操作により、第二の被覆部２８が回転軸４２を回転の中心として図１３中Ｑ方向に回転することにより、連繋部４９に連繋された連結部材３３は、連繋部４９を摺動の基端として第一の被覆部２４側（図１３中Ｒ方向）へ摺動する。すると、連結部材３３の先端が、当接していた第一の当接部４８をさらに移動させる。さらに押圧すると、第一の被覆部２４は、回動軸３６を中心として弾性部材３８ａの付勢方向とは反対方向（図１３中Ｓ方向）に移動する。
【０１０５】
すなわち、第二の操作部３２の操作により、移動する第二の被覆部２８の移動に伴い第一の被覆部２４も移動する。そして、その移動により、第一の球抜き穴２３及び第二の球抜き穴２７双方を同時に開放することが可能となる。
【０１０６】
また、第二の被覆部２８と第一の被覆部２４とが連結部材３３により連動することができる為、第二の操作部３２を操作するだけで同時に第一の被覆部２４、及び第二の被覆部２８双方を開放状態とすることができる。そのため、第二貯留部１９に貯留されている遊技球は、図１９及び図２０に示すように、第一の球抜き穴２３、及び第二の球抜き穴２７へ入り、第一排出通路２５、及び第二排出通路２９を通過し遊技機外部へ排出される。
【０１０７】
さらに、第二の球抜き穴２７が開放されている為、遊技球は案内通路入口２１へ入ることはない。そのため、第一の球抜き穴２３で抜き漏れた遊技球を余すことなく抜くことが可能となる。
【０１０８】
これにより、早急に受皿内の遊技球を排出しなければならない場合等においても、迅速に球抜きを行うことができるようになる。
【０１０９】
さらに、従来よりある上皿下皿が一体型となった受皿２では、案内通路入口２１付近の遊技球を効率よく払い出すことができなかったが、本発明における球抜き装置ならば案内通路入口２１に第二の球抜き穴２７が設けられている為遊技球を余すことなく排出することができる。
【０１１０】
このように、二箇所から遊技球を排出している為、受皿２内に貯留された遊技球を急いで排出したいときでも、迅速且つ容易に遊技球を排出することができる。
【０１１１】
＜第二の実施の形態＞
本実施の形態の遊技機１における球抜き装置は、前記第一の操作部３１及び前記第二の操作部３２の機能とを集約的に設けた操作部を有する球抜き装置である。以下、図１及び図２１〜図２４に基づいて詳細な説明を行う。尚、本実施の形態における遊技機１の構成は、第一の実施の形態における遊技機１と同様であるため説明を省略する。
【０１１２】
先ず初めに、本実施の形態における球抜き装置の構造を説明する。本実施の形態における第一の操作部３１は第一の被覆部２４のみを開閉制御する第一の制御部４４を有し、第二の操作部３２は第二の被覆部２８と第一の被覆部２４とを開閉制御する第二の制御部４５を有している。尚、本実施の形態における第一の被覆部２４と第二の被覆部２８も、第一の実施の形態同様、前記第一の被覆部２４と前記第二の被覆部２８が連結部材３３により連動されるものとする。
【０１１３】
図２４に示すように、第一の操作部３１と第二の操作部３２は、筒状に形成された第二の操作部３２の中空部分にスライド可能なクリアランスを空け第一の操作部３１が設けられている。すなわち、この第一の操作部３１と第二の操作部３２は、それぞれ単独で操作が可能である。
【０１１４】
次に、図２１〜図２４に示すように、本実施の形態における第一の被覆部２４は、第一の実施の形態中における第一の被覆部２４とほぼ同様の構成をなしており、第一の球抜き穴２３より大きめに形成された円形の第一の面板部３４と、この第一の面板部３４と同一平面上に連続して形成された取付部３５とにより全体が構成されている。
【０１１５】
また、取付部３５には、第一の被覆部２４が回動するときに回動中心となる回動軸３６と、前記第二の被覆部２８と第一の被覆部２４を連動させる連結部材３３の一端が当接する第一の当接部４８が設けられている。この第一の当接部４８は、連結部材３３が当接する側の取付部３５の側壁をくの字形に窪ませて形成されている。加えて、この第一の当接部４８にも第一の実施形態と同様に第一の当接部４８近傍に設けられた第一の係合凸部３７が少なくとも一つ設けられている。この第一の係合凸部３７には、バネなどの弾性部材３８ａが連結されている。つまり、第一被覆部２４は、弾性部材３８ａにより、第一球抜き穴２３を覆う状態に付勢されている。
【０１１６】
また、第二の被覆部２８も第一の実施の形態で説明した前記第二の被覆部２８とほぼ同様の構成であり、第二の球抜き穴２７を覆う矩形状の第二の面板部３９と、この第二の面板部３９と同一平面上に連続して設けられたベース部４０とにより構成されている。このベース部４０には、前記第二の制御部４５と当接する第二の当接部４１と、第二の制御部４５の操作により第二の被覆部２８が回転するときの回転軸４２と、前記連結部材３３の基端を取り付ける連繋部４９と、が設けられている。尚、本実施の形態における第二の被覆部２８も、バネ等の弾性部材３８ｂにより、第二の被覆部２８が第二の球抜き穴を覆う状態に付勢されている。
【０１１７】
さらに、この第二の被覆部２８には、Ｌ字型に形成された第一の制御部４４が設けられている。この第一の制御部４４は、一端に前記連結部材３３を回転自在に取り付ける連繋部４９と、他端に前記第一の操作部３１と当接する第一の当接部４８と、Ｌ字の略直角交差部分に第一の制御部４４を回転自在に取り付ける回転軸４２とを有している。尚、第二の被覆部２８に第一の制御部４４を取り付けた際、双方の回転軸は同一軸となる。そのため、これらの回転軸を合わせて回転軸４２とする。
【０１１８】
また、前記第一の制御部４４に取り付けられる前記連結部材３３は、プレート状の細長い部材であり、一端が前記連繋部４９に回動自在な状態にて取り付けられている。一方、前記連結部材３３の他端は第一の被覆部２４の第一の当接部４８と当接している。
【０１１９】
さらに、第一の制御部４４の連繋部４９と異なる一端部には、バネなどの弾性部材３８ｃが連結されている。
【０１２０】
次に、上述した構成を有する本実施の形態における球抜き装置の動作説明を図２１〜図２４に基づいて行う。
【０１２１】
先ず、図２１は、第一の操作部３１及び第二の操作部３２双方を操作しない状態を示す。このとき、第一の被覆部２４は第一の球抜き穴２３を覆い、第二の被覆部２８は第二の球抜き穴２７を覆った状態となっている。また、前記第一の制御部４４側に位置する第一の操作部３１の遊技機１後方側端部３１’は、第一の制御部４４に当接している。さらに、前記第二の制御部４５の遊技機１後方側端部４５’は、第二の被覆部２８と当接している。
【０１２２】
この状態では、賞球払出口２２から払い出された賞球は、第二貯留部１９の傾斜面に沿って移動し、一球ずつ整列するように流動して案内通路入口２１へ入り発射装置７へ供給される。また、貸球払出口２６から払い出された貸し球は、螺旋を描くような下り傾斜の底面に沿って移動し、賞球同様一球ずつ整列して案内通路入口２１へ入り発射装置７へ供給される。
【０１２３】
次に、上述したような第一の球抜き穴及び第二の球抜き穴双方が閉じている状態から、図２２に示す第一の操作部３１のみを操作する場合の説明を行う。まず、第一の操作部３１を遊技機１側に向かって（図２２中Ｊ方向）押圧する。すると、第一の操作部３１の端部は第一の制御部４４と当接する。さらに第一の操作部３１を押圧すると、第一の制御部４４は第一回転軸４２を回転中心として弾性部材３８ｃの付勢方向とは反対方向（図２２中Ｋ方向）へ回転する。
【０１２４】
すると、連繋部４９を基点として連結部材３３が摺動し、連結部材３３が第一の被覆部２４側（図２２中Ｚ方向）へ移動させられる。すると、連結部材３３の摺動方向側先端が第一の被覆部２４の第一の当接部４８に当接する。さらに第一の操作部３１を押圧し続けると、第一の被覆部２４自体が回動軸３６を中心に回動する（図２２中Ｌ方向）。これによって、第一の球抜き穴２３は開放された状態となる。
【０１２５】
この状態のとき、貸球払出口２６から排出された貸し球は、受皿２内部に形成された螺旋を描くような下り傾斜の底面に沿って移動し、一球ずつ整列するように流動して案内通路入口２１へ入る。それによって、遊技球は発射装置７へ供給される。
【０１２６】
一方、賞球払出口２２から払い出された賞球は、受皿２内に設けられた第二貯留部１９の底面がなす緩傾斜に沿って案内通路２０側へと移動する。前述したようにその緩傾斜途中には第一の球抜き穴２３が設けられている。そして、この第一の球抜き穴２３は第一の操作部３１の押圧に基づいて開放された状態であるため、緩傾斜に沿って移動してきた大半の賞球はこの第一の球抜き穴２３へ落下する。
【０１２７】
第一の球抜き穴２３を通過した遊技球は、遊技機１外部へと直接繋がっている第一の排出通路２５を通過し、遊技機１外部へと排出される。排出された遊技球は、通称ドル箱と呼ばれる遊技球専用の収容器へ収容される。
【０１２８】
一方、賞球払出口２２から払い出されたが第二貯留部１９の緩傾斜により第一の球抜き穴２３へ入らなかった賞球や、貸球払出口２６から払い出された貸し球は、螺旋状の底面により案内通路入口２１へと誘導され、第二の球抜き穴２７は第二の被覆部２８により覆われている為、遊技球の発射供給を止めずに遊技球は発射装置７へと供給され続ける。
【０１２９】
すなわち、第二貯留部１９に貯留された大半の遊技球を遊技機１外部へ排出しながらでも、遊技球を打ち出すことができる為、遊技を継続することができる。
【０１３０】
次に、図２３に示すように、第一の操作部３１及び第二の操作部３２を同時に操作した場合の説明を行う。先ず、第一の操作部３１を上述したように操作する。尚、第一の操作部３１については前述した為説明を省略する。それと同時に第二の操作部３２を遊技機１側に向かって（図２３中Ａ方向）に押圧する。すると、前記第二の制御部４５は前記第二の当接部４１と当接する。さらに第二の操作部３２を押圧すると第二の被覆部２８は、回転軸４２を回転中心として弾性部材３８ｂの付勢方向と反対方向（図２３中Ｂ方向）へと回動する。すると、第二の被覆部２８は第二の球抜き穴２７を開放する状態になる。
【０１３１】
また、第一の操作部３１の押圧に基づいて前述したように連結部材３３の摺動（図２３中Ｃ方向）に伴い第一被覆部２４が、回動軸３６を回動中心として回動（図２３中Ｄ方向）し、第一球抜き穴２３を開放する。
【０１３２】
尚、本説明では、第一の操作部３１と第二の操作部３２とを同時に操作した場合について説明を行ったが、勿論、第一の操作部３１と第二の操作部３２とを別々に操作して第一の球抜き穴２３と第二の球抜き穴２７とを開放しても良い。
【０１３３】
このように、二箇所から遊技球を排出している為、受皿２内に貯留された遊技球を急いで排出したいときでも、迅速且つ容易に全ての遊技球を確実に排出することができる。
【０１３４】
さらに、本実施形態における第一の操作部３１と第二の操作部３２は、二つの操作部を一つに集約して設けてあるため、操作性を向上させることができる。
【０１３５】
＜第三の実施の形態＞
本実施の形態の遊技機における球抜き装置は、前述した第一の実施の形態、及び第二の実施の形態における第一の被覆部、及び第二の被覆部の動作を電気的駆動力を用いて行う機構を有している。尚、以下に本実施形態における球抜き装置についての説明を行うが、本実施形態における遊技機は第一の実施の形態、及び第二の実施の形態で構成される遊技機１と同様であるため説明を省略する。
【０１３６】
さらに、本実施形態における受皿内の構造は、第一の実施の形態で説明した受皿内の構造と同様の構成としその説明は省略する。
【０１３７】
以下、第一の実施の形態で述べた受皿の構造を踏まえ、図２５〜図３３に基づいて詳細な説明を行う。
【０１３８】
先ず初めに、本実施形態における球抜き装置の構造についての説明を行う。図２５〜図３２に示すように、本実施形態における球抜き装置は、受皿２の第二貯留部１９に貯留された遊技球を遊技機外部へ排出する為に、第一の被覆部２４及び／又は第二の被覆部２８を開閉させなくてはならない。
【０１３９】
そのため、本実施形態における球抜き装置は、第一の被覆部２４を制御し、第一の球抜き穴２３を単独的に開閉自在とする第一の指示部３１と、第二の被覆部２８を制御し、第二の球抜き穴２７を単独的に開閉自在とする第二の指示部３２と、第一の被覆部２４、及び第二の被覆部２８を同時に制御し、第一の球抜き穴２３、及び第二の球抜き穴２７を同時に開閉自在にする第三の指示部６０とを備えている。
【０１４０】
また、第一の被覆部２４、及び第二の被覆部２８には、各々を電気的駆動力により可動させる為の駆動機構（駆動手段）６１が設けられている。尚、本実施形態の駆動機構６１にはソレノイド機構を利用している。
【０１４１】
また、ソレノイドとは、交流又は直流の励磁コイルを通電させ、可動鉄心を動かすことにより電磁エネルギーを機械的運動に変換するプランジャ形の電磁石のことである。
【０１４２】
そのため、図２５〜図３２に示すように、第一の被覆部２４には、第一の被覆部２４を支持する第一可動鉄心６２と、第一可動鉄心６２を内部に挿通する第一励磁コイル６３とを備えている。同様に、第二の被覆部２８も、第二の被覆部２８を支持する第二可動鉄心６４と、第二可動鉄心６４を内部に挿通する第二励磁コイル６５とを備えている。
【０１４３】
そして、ソレノイド機構を備えた第一の被覆部２４、及び第二の被覆部２８は、第一の指示部３１、第二の指示部３２、第三の指示部６０が操作されたことを契機として可動する。
【０１４４】
これら第一の指示部３１、第二の指示部３２、第三の指示部６０の背面側（遊技機内部側）には、第一センサ６６、第二センサ６７、第三センサ６８が設けられている。尚、これら各センサと指示部とは、図示しないが、バネなどの弾性力等により各指示部の操作方向とは逆の方向（図２５中Ａ方向）に付勢されている。
【０１４５】
また、各センサは、図３３に示すように、遊技機を統括して制御する主制御装置６９に接続されている。この主制御装置６９は、図３３に示すように、基本処理装置であるＣＰＵ（Ｃｅｎｔｒａｌ  Ｐｒｏｃｅｓｓｉｎｇ  Ｕｎｉｔ）７０と、ＣＰＵ７０の処理事項を一時記憶するＲＡＭ（Ｒａｎｄｏｍ  ＡｃｃｅｓｓＭｅｍｏｒｙ）７１と、主制御装置６９で行う各種プログラムを記憶するＲＯＭ（Ｒｅａｄ  Ｏｎｌｙ  Ｍｅｍｏｒｙ）７２とを備えている。
【０１４６】
そして、各指示部が押下され各センサに接触すると、各センサは指示部により指示のあった被覆部の可動（開放命令）を指示する信号を入力インターフェース７３を介して主制御装置６９のＣＰＵ７０へ送信する。
【０１４７】
例えば、第一の指示部３１が押下され第一センサ６６に接触すると、第一の指示部３１から第一の被覆部２４の可動を指示する信号が第一センサ６６から主制御装置６９のＣＰＵ７０へ送られる。すると、その信号を受けた主制御装置６９のＣＰＵ７０は、第一の被覆部２４を可動させる為に、第一励磁コイル６３に電圧をかけるべき制御を行う。
【０１４８】
即ち、ＣＰＵ７０はＲＯＭ７２内に記憶されている第一の被覆部２４の開放命令プログラムを読み出す。尚、この開放命令プログラムは、第一の被覆部２４を可動させる為、第一励磁コイル６３に電圧をかける命令プログラムである。
【０１４９】
そして、この開放命令プログラムを出力インターフェース７４を介して駆動機構６１へ送信し、実行すると第一励磁コイル６３に電圧がかかる。
【０１５０】
また、第一励磁コイル６３に電圧がかかると、第一励磁コイル６３は磁化され、第一励磁コイル６３内部に挿通される。つまり、第一の球抜き穴２３を閉鎖していた第一可動鉄心６２は、第一の球抜き穴２３を開放する方向（図２５中Ｂ方向）へ移動する。
【０１５１】
すると、図２７、及び図２８に示すように、第一の被覆部２４は単独で可動し、第一の球抜き穴２３のみを開放することができる。
【０１５２】
また、図２９に示すように、第二の指示部３２が押下され第二センサ６７に接触すると、第二の指示部３２から第二の被覆部２８の可動を指示する信号が第二センサ６７から主制御装置６９のＣＰＵ７０へ送られる。
【０１５３】
すると、その信号を受けた主制御装置６９のＣＰＵ７０は、第二の被覆部２８を可動させる為に、第二励磁コイル６５に電圧をかけるべき制御を行う。
【０１５４】
即ち、ＣＰＵ７０はＲＯＭ７２内に記憶されている第二の被覆部２８の開放命令プログラムを読み出す。尚、この開放命令プログラムは、第二の被覆部２８を可動させる為、第二励磁コイル６５に電圧をかける命令プログラムである。
【０１５５】
そして、この開放命令プログラムを出力インターフェース７４を介して駆動機構６１へ送信し、実行すると第二励磁コイル６５に電圧がかかる。
【０１５６】
また、第二励磁コイル６５に電圧がかかると、第二励磁コイル６５は磁化され、第二励磁コイル６５内部に挿通される。つまり、第二の球抜き穴２７を閉鎖していた第二可動鉄心６４は、第二の球抜き穴２７を開放する方向（図２５中Ｃ方向）へ移動する。このようにして、第二の被覆部２８を単独で可動させることができる。
【０１５７】
また、本実施形態における図３１に示す第三の指示部６０が操作された場合は、第三の指示部６０が第一の被覆部２４、及び第二の被覆部２８の同時可動（開放命令）を指示する信号が入力インターフェース７３を介して第三センサ６８から主制御装置６９のＣＰＵ７０へ信号が伝達される。
【０１５８】
すると、ＣＰＵ７０は第一の被覆部２４及び第二の被覆部２８を同時に可動させるべき制御を行う。
【０１５９】
即ち、ＣＰＵ７０はＲＯＭ７２内に記憶されている第一の被覆部２４、及び第二の被覆部２８の同時開放命令プログラムを読み出す。尚、この開放命令プログラムは、第一の被覆部２４と第二の被覆部２８とを同時に可動させる為、第一励磁コイル６３と第二励磁コイル６５とに同時に電圧をかける命令プログラムである。
【０１６０】
そして、この開放命令プログラムを出力インターフェース７４を介して駆動機構６１へ送信し、実行すると第一励磁コイル６３、及び第二励磁コイル６５に同時に電圧がかかる。
【０１６１】
また、第一励磁コイル６３と第二励磁コイル６５とに電圧がかかると、第一励磁コイル６３、及び第二励磁コイル６５は磁化され、第一励磁コイル６３外部に位置していた第一可動鉄心６２と第二励磁コイル６５外部に位置していた第二可動鉄心６４は、各励磁コイル内部側へ挿通されるように可動する（図２５中Ｂ、Ｃ方向）。
【０１６２】
このような制御工程を経ると第三の指示部６０の操作に基づいて、図３１、及び図３２に示すように、第一の球抜き穴２３、及び第二の球抜き穴２７が同時に開放される。
【０１６３】
また、開放された球抜き穴は、各指示部が各センサと接触している間、又は所定時間が経過した後等に再び閉鎖される。例えば、所定時間が経過すると、第一励磁コイル６３、及び第二励磁コイル６５に出力されていた電圧の供給を停止する制御が行われる。尚、ここでの所定時間とは、受皿２内、即ち案内通路２０内、第一貯留部５０、第二貯留部１９に存する遊技球を遊技機外部へ排出するに足りる時間のことを意味する。そのため、受皿２の内容量や案内通路２０等の遊技機内部の構造に応じて、その時間を設定することができる。
【０１６４】
このように、第一の球抜き穴２３と第二の球抜き穴２７とを単独的に開放させること、又は第一の球抜き穴２３と第二の球抜き穴２７とを同時に開放させることができるため、遊技者は遊技の進行状況や遊技球の貯留状態に応じて前記第一〜第三の各指示部を選択し確実な遊技球の排出を行うことができる。
【０１６５】
また、本実施形態の遊技機における球抜き装置によれば、受皿内に貯留された遊技球を複数の排出口に設けられた被覆部の開閉により、遊技の進行状況に応じて遊技の妨げとならずに適量の遊技球を排出することが可能となる。
【０１６６】
さらに、本実施形態の遊技機における球抜き装置によれば、受皿内に貯留された遊技球の排出操作を機械的な連結、モータ、ソレノイド、圧搾空気、磁石等の動力伝達機構を用いて、複数の排出口に設けられた被覆部の開閉の操作を単独で行わせると共に、前記複数の被覆部を同時、又は所定の時間差をもって連動して開閉することもできるため、操作性を向上することができる。
【０１６７】
また、本実施形態では、第一の被覆部２４と第二の被覆部２８とを同時に開放させる為に第三の指示部６０を独自に設けた構成としたが、第一の指示部３１、或いは第二の指示部３２に、本実施形態のように第一の被覆部２４と第二の被覆部２８とを同時開放する第三の指示部６０の機能を持たせた構成としてもよい。
【０１６８】
第一の指示部３１、或いは第二の指示部３２に第一の被覆部２４と第二の被覆部２８とを同時に開放させる機能を持たせた場合の操作方法としては、第一の指示部３１、或いは第二の指示部３２を一度押下してセンサ６７に接触させ定位置に戻すと、第一の被覆部２４、または第二の被覆部２８が単独で開放され、所定時間内（例えば３秒以内）に二度目の押下をしてセンサ６７に接触させる第一の被覆部２４と第二の被覆部２８とが同時に可動する開放命令の制御を主制御装置６９に行わせる方法を例示することが出来る。
【０１６９】
その他にも、第一の指示部３１、或いは第二の指示部３２を所定時間長押しして第一センサ６６、又は第二センサ６７に接触を継続させると第一の被覆部２４と第二の被覆部２８とを同時に開放することが出来る構成としてもよい。
【０１７０】
さらに、本実施形態では、指示部からの指示、即ち、各センサ別に入力される信号を主制御装置６９を介して各駆動機構６１（各励磁コイル）の制御を行っているが、主制御装置６９を介さずとも、各センサから直接駆動機構６１へ入力信号を送信して各被覆部の開放に係る制御を行うこともできる。
【０１７１】
また、別の実施形態として、総合管理するコンピュータの命令に基づいて複数の排出口に設けられた被覆部の開閉を電気的駆動力からなる動力伝達機構により行い、様々な遊技状態に適した受皿内に貯留された遊技球の排出を行う開閉パターン命令情報を前記総合管理するコンピュータに記憶させ、遊技者の意志に応じて前記命令情報を入力させ処理させる構成も考えられる。このことにより集約的な操作を可能としているため操作性の高い球抜き装置、及び遊技機用受皿装置を提供することができる。
【０１７２】
【発明の効果】
以上、本発明によれば、遊技機内に貯留された遊技球を残すことなく排出できる遊技機における球抜き装置、及び遊技機用受皿装置を提供することができる。
【０１７３】
また、本発明によれば、遊技機に貯留された遊技球を容易な操作で、且つ迅速に排出することを可能とする球抜き装置、及び遊技機用受皿装置を提供することができる。
【０１７４】
さらに、本発明によれば、受皿内に貯留された遊技球の球詰まりを防ぎ発射装置側へ流通させ、当該受皿内に遊技球を残すことなく遊技球を排出することができる遊技機における球抜き装置、及び遊技機用受皿装置を提供することが可能となる。
【０１７５】
また、本発明によれば一度に大量の遊技球を確実に排出することが出来る遊技機における球抜き装置、及び遊技機用受皿装置を提供することができる。
【０１７６】
さらに、本発明によれば、遊技球を遊技機外部へ排出しながらにして遊技を継続的に行うことを可能とする遊技機における球抜き装置、及び遊技機用受皿装置を提供することが可能となる。
【図面の簡単な説明】
【図１】本発明の第一の実施の形態における遊技機の斜視図である。
【図２】本発明の第一の実施の形態における受皿の通常状態の平面図である。
【図３】図２のＲ−Ｒ断面図である。
【図４】図２のＳ−Ｓ断面図である。
【図５】図２のＴ−Ｔ断面図である。
【図６】本発明の第一の実施の形態における受皿の通常状態の球抜き装置を示した図である。
【図７】本発明の第一の実施形態における受皿の正面図である。
【図８】図２のＢ−Ｂ断面図である。
【図９】本発明の第一の実施の形態における受皿の第一の球抜き穴を開放した場合の平面図である。
【図１０】本発明の第一の実施の形態における受皿の第一の球抜き穴を開放した場合の球抜き装置を示す図である。
【図１１】図９のＣ−Ｃ断面図である。
【図１２】本発明の第一の実施の形態における受皿の第一の球抜き穴、及び第二の球抜き穴を開放した場合の平面図である。
【図１３】本発明の第一の実施の形態における受皿の第一の球抜き穴、及び第二の球抜き穴を開放した場合の球抜き装置を示した図である。
【図１４】図１２のＡ−Ａ断面図である。
【図１５】本発明の第一の実施の形態における受皿の遊技中の遊技球の動きを示した状態図である。
【図１６】図１５のＤ−Ｄ断面図である。
【図１７】本発明の第一の実施の形態における受皿の遊技中の遊技球の動きを示した状態図である。
【図１８】図１７のＦ−Ｆ断面図である。
【図１９】本発明の第一の実施の形態における受皿の遊技中の遊技球の動きを示した状態図である。
【図２０】図１９のＧ−Ｇ断面である。
【図２１】本発明の第二の実施の形態における通常時の球抜き装置を示した図である。
【図２２】本発明の第二の実施の形態における第一の球抜き穴を開放した場合の球抜き装置を示した図である。
【図２３】本発明の第二の実施の形態における第一の球抜き穴、及び第二の球抜き穴を開放した場合の球抜き装置を示した図である。
【図２４】図２１のＨ−Ｈの一部断面図である。
【図２５】本発明の第三の実施の形態における受皿が第一の球抜き穴、及び第二の球抜き穴を閉鎖した場合の球抜き装置を示した図である。
【図２６】第三の実施形態における球抜き装置が図２５の状態のときの遊技球の動きを示した状態図である。
【図２７】本発明の第三の実施の形態における受皿が、第一の球抜き穴のみを開放した場合の球抜き装置を示した図である。
【図２８】第三の実施形態における球抜き装置が図２７の状態のときの遊技球の動きを示した状態図である。
【図２９】本発明の第三の実施の形態における受皿が第二の球抜き穴のみを開放した場合の球抜き装置を示した図である。
【図３０】第三の実施形態における球抜き装置が図２９の状態のときの遊技球の動きを示した状態図である。
【図３１】本発明の第三の実施の形態における受皿が第一の球抜き穴、及び第二の球抜き穴を同時に開放した場合の球抜き装置を示した図である。
【図３２】第三の実施形態における球抜き装置が図３１の状態のときの遊技球の動きを示した状態図である。
【図３３】本発明の第三の実施形態における駆動機構の制御ブロック図である。
【符号の説明】
１  遊技機
２  受皿
３  外枠
４  表枠
５  窓枠
６  遊技盤
７  発射装置
８  操作ハンドル
９  透視窓
１０  装飾ＬＥＤ
１１  装飾ランプ
１２  スピーカー
１３  誘導レール
１４  障害物
１５  入賞口
１６  アウト口
１７  画像表示装置
１８  始動入賞口（始動口）
１９  第二貯留部
２０  案内通路
２１  案内通路入口
２２  賞球払出口
２３  第一の球抜き穴
２４  第一の被覆部
２５  第一排出通路
２６  貸球払出口
２７  第二の球抜き穴
２８  第二の被覆部
２９  第二の排出通路
３１  第一の操作部（第一の指示部）
３１’  遊技機後方側端部
３２  第二の操作部（第二の指示部）
３３  連結部材
３４  第一の面板部
３５  取付部
３６  回動軸
３７  第一の係合凸部
３８  弾性部材
３８ｃ  弾性部材
３９  第二の面板部
４０  ベース部
４１  第二の当接部（当接部）
４２  回転軸
４４  第一の制御部
４５  第二の制御部
４５’  遊技機後方側端部
４８  第一の当接部（当接部）
４９  連繋部
５０  第一貯留部
５１  壁部
５２  第一壁面部
５３  第二壁面部
５４  面板部
５５  窪部
５６  傾斜部
６０  第三の指示部
６１  駆動機構（駆動手段）
６２  第一可動鉄心
６３  第一励磁コイル
６４  第二可動鉄心
６５  第二励磁コイル
６６  第一センサ
６７  第二センサ
６８  第三センサ
６９  主制御装置
７０  ＣＰＵ
７１  ＲＡＭ
７２  ＲＯＭ
７３  入力インターフェース
７４  出力インターフェース７４
【図１】
0003756461.tif 000002
【図２】
0003756461.tif 000003
【図３】
0003756461.tif 000004
【図４】
0003756461.tif 000005
【図５】
0003756461.tif 000006
【図６】
0003756461.tif 000007
【図７】
0003756461.tif 000008
【図８】
0003756461.tif 000009
【図９】
0003756461.tif 000010
【図１０】
0003756461.tif 000011
【図１１】
0003756461.tif 000012
【図１２】
0003756461.tif 000013
【図１３】
0003756461.tif 000014
【図１４】
0003756461.tif 000015
【図１５】
0003756461.tif 000016
【図１６】
0003756461.tif 000017
【図１７】
0003756461.tif 000018
【図１８】
0003756461.tif 000019
【図１９】
0003756461.tif 000020
【図２０】
0003756461.tif 000021
【図２１】
0003756461.tif 000022
【図２２】
0003756461.tif 000023
【図２３】
0003756461.tif 000024
【図２４】
0003756461.tif 000025
【図２５】
0003756461.tif 000026
【図２６】
0003756461.tif 000027
【図２７】
0003756461.tif 000028
【図２８】
0003756461.tif 000029
【図２９】
0003756461.tif 000030
【図３０】
0003756461.tif 000031
【図３１】
0003756461.tif 000032
【図３２】
0003756461.tif 000033
【図３３】
0003756461.tif 000034